(57)【特許請求の範囲】
【請求項１】
洗浄槽と、食器を収納する食器かごと、前記洗浄槽内の洗浄水を加圧するポンプと、前記ポンプによって加圧した洗浄水を噴射する噴射孔を有した回転するアームノズルと、前記ポンプを制御するポンプ制御手段と、前記アームノズルから突出可能に連通し弾性体により前記アームノズルの内方へ押圧された補助ノズルと、前記洗浄槽とポンプとアームノズル及び前記補助ノズルとを接続する循環経路を備え、前記補助ノズルは、前記ポンプの洗浄水の加圧力が高くなると前記弾性体の押圧力に抗してアームノズルから突出するように構成し、前記ポンプ制御手段によりポンプが洗浄水を加圧する加圧力を変化させながら食器を洗浄するようにした食器洗浄機。
【請求項２】
補助ノズルは、洗浄槽内を移動する移動量を食器かごに収納される隣接した食器間の間隔以上に設定した請求項１記載の食器洗浄機。
【請求項３】
洗浄水の加圧力が低圧時のみに洗浄水を噴射する噴射孔をアームノズルと補助ノズルで構成した請求項１または２記載の食器洗浄機。
【請求項４】
循環経路の一部がポンプの洗浄水の加圧力の変化に連動して洗浄槽内を略水平方向に移動するようにした請求項１〜３のいずれか１項に記載の食器洗浄機。
【請求項５】
アームノズルに第一の低圧噴射孔を設けるとともに、補助ノズルに第二の低圧噴射孔を設け、前記第一の低圧噴射孔は、水平方向にスリット幅がアームノズルの外側に向かうにつれて狭くなるようにスリット状に形成され、前記第一の低圧噴射孔及び第二の低圧噴射孔は、前記補助ノズルの移動に連動して噴射位置及び噴射量を変化させるようにした請求項１〜４のいずれか１項に記載の食器洗浄機。
【発明の詳細な説明】
【０００１】
【発明の属する技術分野】
本発明は食器の洗浄を効率的に行う食器洗浄機に関するものである。
【０００２】
【従来の技術】
以下に従来の食器洗浄機について説明する。従来の食器洗浄機は図１８に示すように、食器１等を収納した食器かご２を所定の場所に収納した後、洗剤を投入して運転を開始するものである。運転を開始するとともに、まず給水弁３が動作して洗浄水４を洗浄槽５に供給する。そして、洗浄ポンプ６が洗浄水４を加圧し、洗剤と共にアームノズル７に備えられた噴射孔８から洗浄水４を噴射する。こうして洗浄工程が行われる。この洗浄工程では洗浄槽５内に設けた発熱体９に通電して、洗浄水４を加熱して所定温度まで昇温する。
【０００３】
所定時間の洗浄工程を経ると、次に食器１等から洗い落とされた汚れを含む洗浄水４を排水ポンプ１０により機外へ排出する。引き続いて、新たに洗浄水４を供給してアームノズル７に備えられた噴射孔８から再び噴射して、洗剤や残菜（食器１等に汚れとして付着していた食品のことを残菜と呼ぶ）等で汚れた食器１等をすすぐ工程を実行する。このすすぎ工程を終えると、洗浄水４を再び機外へ排出する。このすすぎ工程は連続して数回繰り返される。なおこのとき、残菜は洗浄槽５に設けたフィルタ１１内に捕集される。所定回数のすすぎ工程が終了すると食器洗浄機の運転は終了するものである。
【０００４】
【発明が解決しようとする課題】
しかしながら、従来の構成の食器洗浄機では以下の問題を有している。つまり、洗浄及びすすぎ工程において、洗浄ポンプ６は定常回転で回転するため、洗浄ポンプ６は洗浄水４を常に一定の加圧力で加圧する。そのため、アームノズル７を介して噴射孔８から噴射される洗浄水４は常に一定の圧力で食器１に供給されるので、食器１に付着した汚れのうち、食器１に強固に付着している汚れを洗い落とすことができなかったり、長時間洗浄水４を供給しなければ洗い落とすことができなかったりする。そのため、所定の洗浄時間を経過しても食器１の満足な洗浄性能を得ることができないことがある。
【０００５】
また、従来のアームノズル７の構成では、図１９に示すように、アームノズル７の形状が変化しないのでアームノズル７に備えられた噴射孔８の回転軌跡は常に同心円を描くことになる。そのため噴射孔８の回転軌跡近辺にある食器１は効率的に洗浄されるが、回転軌跡の近辺にない食器１は効率的に洗浄されにくくなる。従って、食器１の洗浄にばらつきが生じ、洗浄性能が向上しないことになる。
【０００６】
そこで本発明は、前記問題点に鑑み、従来例のような問題点を解消して効率的に食器の洗浄を行うことを目的とするものである。
【０００７】
【課題を解決するための手段】
本発明の食器洗浄機は、洗浄槽と、食器を収納する食器かごと、前記洗浄槽内の洗浄水を加圧するポンプと、前記ポンプによって加圧した洗浄水を噴射する噴射孔を有した回転するアームノズルと、前記ポンプを制御するポンプ制御手段と、前記アームノズルから突出可能に連通し弾性体により前記アームノズルの内方へ押圧された補助ノズルと、前記洗浄槽とポンプとアームノズル及び前記補助ノズルとを接続する循環経路を備え、前記補助ノズルは、前記ポンプの洗浄水の加圧力が高くなると前記弾性体の押圧力に抗してアームノズルから突出するように構成し、前記ポンプ制御手段によりポンプが洗浄水を加圧する加圧力を変化させながら食器を洗浄するようにしたものである。
【０００８】
従って本発明によれば、洗浄水を噴射する噴射孔の回転軌跡を連続的に変化させて効率的に食器の洗浄を行うことができる。
【０００９】
【発明の実施の形態】
本発明の請求項１に記載の発明は、洗浄槽と、食器を収納する食器かごと、前記洗浄槽内の洗浄水を加圧するポンプと、前記ポンプによって加圧した洗浄水を噴射する噴射孔を有した回転するアームノズルと、前記ポンプを制御するポンプ制御手段と、前記アームノズルから突出可能に連通し弾性体により前記アームノズルの内方へ押圧された補助ノズルと、前記洗浄槽とポンプとアームノズル及び前記補助ノズルとを接続する循環経路を備え、前記補助ノズルは、前記ポンプの洗浄水の加圧力が高くなると前記弾性体の押圧力に抗してアームノズルから突出するように構成し、前記ポンプ制御手段によりポンプが洗浄水を加圧する加圧力を変化させながら食器を洗浄するようにしたものであり、この構成においては、洗浄及びすすぎ工程において、ポンプ制御手段によりポンプが洗浄水を加圧する加圧力を小さくして洗浄水をアームノズル、補助ノズルへ低圧力で供給する場合は、弾性体が補助ノズルをアームノズル内に押す力の方が、洗浄水が補助ノズルをアームノズルから突出して洗浄槽内に水平方向に移動させる力よりも大きいため、補助ノズルは移動しないことになる。一方、ポンプ制御手段によりポンプが洗浄水を加圧する加圧力を大きくして洗浄水をアームノズル、補助ノズルへ高圧力で供給する場合は、洗浄水が補助ノズルをアームノズルから突出して洗浄槽内に水平方向に移動させる力の方が、弾性体が補助ノズルをアームノズル内に押す力よりも大きいため、補助ノズル及び補助ノズルに備えられた噴射孔は洗浄水を低圧力で供給する場合よりもアームノズルの外側に位置することになる。
【００１０】
従って、補助ノズルに備えられた噴射孔は洗浄水を低圧で噴射させる場合ではアームノズルの中心側に位置し、洗浄水を高圧で噴射させる場合ではアームノズルの外側に位置するので、ポンプ制御手段によりポンプが洗浄水を加圧する加圧力を連続的に変化させると、補助ノズルに備えられた噴射孔の回転軌跡は波形状の回転軌跡にすることができる。そのため、従来のノズル構成ではノズルに備えられた噴射孔の回転軌跡が変化しないために洗浄しづらい領域も本発明の前記する構成によると洗浄することができる。以上のようにアームノズル、補助ノズルに備えられた噴射孔から噴射される洗浄水の噴射力を変化させながら、食器を効率的に洗浄することができる。
【００１１】
以上より、洗浄水の加圧力を変化させて食器に洗浄水を供給することができ、さらに洗浄水を噴射する噴射孔の回転軌跡を連続的に変化させることができるので、効率的に食器の洗浄を行うことができるという作用を有する。
【００１２】
請求項２に記載の発明は、補助ノズルは、洗浄槽内を移動する移動量を食器かごに収納される隣接した食器間の間隔以上に設定したものであり、食器に対して食器の内側から外側まで洗浄水の噴射力及び噴射角度を変化させながら洗浄水は供給されることになる。従って、食器には弱水流から強水流まで様々な水流の洗浄水を様々な角度から供給することができるので、より効率的に食器の洗浄を行うことができるという作用を有する。
【００１３】
請求項３に記載の発明は、洗浄水の加圧力が低圧時のみに洗浄水を噴射する噴射孔をアームノズルと補助ノズルで構成したものであり、洗浄及びすすぎ工程において、ポンプ制御手段によりポンプが洗浄水を加圧する加圧力を小さくして洗浄水をアームノズル、補助ノズルに低圧力で供給する場合は、弾性体が補助ノズルをアームノズル内に押す力の方が、洗浄水が補助ノズルをアームノズルから突出して洗浄槽内に略水平方向に移動させる力よりも大きいため、補助ノズルは移動せず、第一の低圧噴射孔と第二の低圧噴射孔が同じ位置になって洗浄水を第一及び第二の低圧噴射孔から噴射する。そのため、補助ノズルに備えられた噴射孔はアームノズルの中心側に位置し、洗浄水はアームノズル、補助ノズルに備えられた噴射孔から噴射されるだけでなく、第二の低圧噴射孔を介して第一の低圧噴射孔からも噴射されることになる。一方、ポンプ制御手段によりポンプが洗浄水を加圧する加圧力を大きくして洗浄水をアームノズル、補助ノズルに高圧力で供給する場合は、洗浄水が補助ノズルをアームノズルから突出して洗浄槽内に略水平方向に移動させる力の方が、弾性体が補助ノズルをアームノズル内に押す力よりも大きいため、補助ノズル及び補助ノズルに備えられた噴射孔はアームノズルの外側に位置する。さらに、第一の低圧噴射孔と第二の低圧噴射孔の位置がずれるので第二の低圧噴射孔と介して第一の低圧噴射孔からは洗浄水は噴射されないことになる。
【００１４】
従って、洗浄水を低圧で加圧する場合はアームノズル、補助ノズルに備えられた噴射孔から洗浄水を噴射するだけでなく、第二の低圧噴射孔を介して第一の低圧噴射孔からも洗浄水を噴射することができ、洗浄水を高圧で加圧する場合は第二の低圧噴射孔を介して第一の低圧噴射孔からは洗浄水は噴射されず、アームノズル、補助ノズルに備えられた噴射孔からのみ噴射されることになる。そのため、洗浄水を高圧で噴射させる場合は、洗浄水を低圧で噴射させる場合よりも噴射孔から噴射される洗浄水の噴射量は増加するが、第二の低圧噴射孔を介して第一の低圧噴射孔から洗浄水は噴射されないので、洗浄水を噴射させる噴射孔数を少なくすることができ、洗浄水の噴射水量を低圧で噴射させる場合と同等かあるいはそれ以下にすることができる。
【００１５】
以上より、洗浄水の使用水量を増加させることなく洗浄水の加圧力を変化させて食器に洗浄水を供給することができ、さらに効率的に食器の洗浄を行うことができるという作用を有する。
【００１６】
請求項４に記載の発明は、循環経路の一部がポンプの洗浄水の加圧力の変化に連動して洗浄槽内を略水平方向に移動するようにしたものであり、洗浄及びすすぎ工程において、ポンプ制御手段によりポンプが洗浄水を加圧する加圧力が小さい場合は、第二の弾性体が第三の循環経路を第二の循環経路内に押す力の方が洗浄水が第三の循環経路を第二の循環経路から突出して洗浄槽内に水平方向に移動させる力よりも大きいため、第三の循環経路、アームノズル及び補助ノズルは移動しない。一方、ポンプ制御手段によりポンプが洗浄水を加圧する加圧力が大きい場合は、洗浄水が第三の循環経路を第二の循環経路から突出して洗浄槽内を長方形の長手方向に水平方向に移動させる力の方が第二の弾性体が第三の循環経路を第二の循環経路内に押す力よりも大きいため、第三の循環経路、アームノズル及び補助ノズルは洗浄槽内を長方形の長手方向に水平方向に移動する。従って、第三の循環経路、アームノズル及び補助ノズルはポンプが洗浄水を加圧する加圧力に連動して洗浄槽内を長方形の長手方向に水平方向に移動することになるので、アームノズル、補助ノズルに備えられた噴射孔は、長方形の洗浄槽内を均一に洗浄できるような回転軌跡を描くことになる。
【００１７】
従って、ポンプが洗浄水を加圧する加圧力が小さい場合は第三の循環経路、アームノズル及び補助ノズルは第二の循環経路側に位置し、ポンプが洗浄水を加圧する加圧力が大きい場合は第三の循環経路、アームノズル及び補助ノズルは第二の循環経路と反対側に位置することになるので、第二の循環経路側に汚れ量の少ない食器を配置し、第二の循環経路と反対側に汚れ量の多い食器を配置することにより、汚れ量の少ない食器には低圧の洗浄水を供給することができ、汚れ量の多い食器には高圧の洗浄水を供給することができる。そのため、食器の汚れ量に応じて低圧から高圧の洗浄水を供給し効率的に食器を洗浄することができる。
【００１８】
以上より、正方形や円形の洗浄槽だけでなく、奥行方向や幅方向が長手方向である長方形形状等の洗浄槽にも対応して食器を洗浄することができ、さらに、食器の汚れ量に応じた低圧から高圧の洗浄水を供給することができるので、効率的に食器を洗浄することができるという作用を有する。
【００１９】
請求項５に記載の発明は、アームノズルに第一の低圧噴射孔を設けるとともに、補助ノズルに第二の低圧噴射孔を設け、前記第一の低圧噴射孔は、水平方向にスリット幅がアームノズルの外側に向かうにつれて狭くなるようにスリット状に形成され、前記第一の低圧噴射孔及び第二の低圧噴射孔は、前記補助ノズルの移動に連動して噴射位置及び噴射量を変化させるようにしたものであり、アームノズル、補助ノズルに備えられた第一の低圧噴射孔及び第二の低圧噴射孔から噴射される洗浄水の噴射力及び噴射位置を変化させながら、食器をより効率的に洗浄することができる。
【００２０】
【実施例】
（実施例１）
以下、本発明の実施例１について、図面を参照しながら説明する。図１、図２及び図３において、１２は洗浄槽、１３は洗浄水１４を洗浄槽１２内に供給する給水弁、１５はポンプ、１６はポンプ１５が洗浄水１４を加圧する加圧力を制御するポンプ制御手段である。１７はアームノズル、１８は補助ノズルで、洗浄槽１２内に略水平方向に備えられている。そして、補助ノズル１８はポンプ１５が洗浄水１４を加圧する圧力に連動してアームノズル１７から突出し洗浄槽１２内を略水平方向に移動する。１９ａはアームノズル１７に備えられた噴射孔、１９ｂは補助ノズル１８に備えられた噴射孔、２０は弾性体で、ばね、ゴム、エラストマー等の弾性体のいずれかにより形成することができる。２１は食器２２等を洗浄槽１２内に収納する食器かご、２３は残菜等を捕集するフィルタ、２４は発熱体である。２５は洗浄水１４を機外へ排出する排水ポンプ、２６は洗浄槽１２、ポンプ１５、アームノズル１７及び補助ノズル１８を接続する循環経路である。
【００２１】
前記構成において以下にその動作について説明する。洗浄槽１２内に所定量の洗剤を投入し、食器２２等を食器かご２１に収納して運転を開始する。ここでまず給水弁１３に通電することで洗浄水１４が供給される。洗浄水１４が所定量に達すると、ポンプ１５が動作して洗剤を含む洗浄水１４を加圧する。加圧された洗浄水１４は循環経路２６を介してアームノズル１７及び補助ノズル１８に供給され、アームノズル１７に備えられた噴射孔１９ａ及び補助ノズル１８に備えられた噴射孔１９ｂから噴射される。そして、洗浄水１４は洗浄槽１２及び食器２２等に供給される。こうして食器２２等を洗浄する洗浄工程が行われる。この洗浄工程では、発熱体２４に通電することにより洗浄水１４は洗浄所定温度まで加熱される。所定時間の洗浄工程を経過すると、次に食器２２等から洗い落とされた汚物等を含む洗浄水１４を排水ポンプ２５により排出する。引き続き、新たに洗浄水１４を供給し、アームノズル１７に備えられた噴射孔１９ａ及び補助ノズル１８に備えられた噴射孔１９ｂから洗浄水１４を噴射することで洗剤や残菜等で汚れた食器２２等をすすぐ工程を行う。この工程終了後洗浄水１４を機外へ排出する。そして、この工程が連続して数回繰り返されてすすぎ工程が終了する。残菜は洗浄槽１２に設けたフィルタ２３内に捕集される。すすぎ工程が終了して食器２２を洗浄する食器洗浄機の運転を終了する。
【００２２】
このように構成された本発明の実施例１によれば、洗浄及びすすぎ工程において、ポンプ制御手段１６によりポンプ１５が洗浄水１４を加圧する加圧力を小さくして洗浄水１４をアームノズル１７、補助ノズル１８へ低圧力で供給する場合は、図２に示すように、弾性体２０が補助ノズル１８をアームノズル１７内に押す力の方が、洗浄水１４が補助ノズル１８をアームノズル１７から突出して洗浄槽１２内に略水平方向に移動させる力よりも大きいため、補助ノズル１８は移動しないことになる。一方、ポンプ制御手段１６によりポンプ１５が洗浄水１４を加圧する加圧力を大きくして洗浄水１４をアームノズル１７、補助ノズル１８へ高圧力で供給する場合は、図３に示すように、洗浄水１４が補助ノズル１８をアームノズル１７から突出して洗浄槽１２内に略水平方向に移動させる力の方が、弾性体２０が補助ノズル１８をアームノズル１７内に押す力よりも大きいため、補助ノズル１８及び補助ノズル１８に備えられた噴射孔１９ｂは洗浄水１４を低圧力で供給する場合よりもアームノズル１７の外側に位置することになる。
【００２３】
従って、補助ノズル１８に備えられた噴射孔１９ｂは洗浄水１４を低圧で噴射させる場合ではアームノズル１７の中心側に位置し、洗浄水１４を高圧で噴射させる場合ではアームノズル１７の外側に位置するので、ポンプ制御手段１６によりポンプ１５が洗浄水１４を加圧する加圧力を連続的に変化させると、補助ノズル１８に備えられた噴射孔１９ｂの回転軌跡は図４に示すように、波形状の回転軌跡にすることができる。そのため、従来のノズル構成ではノズルに備えられた噴射孔の回転軌跡が変化しないために洗浄しづらい領域も洗浄することができるので、アームノズル１７に備えられた噴射孔１９ａ、補助ノズル１８に備えられた噴射孔１９ｂから噴射される洗浄水１４の噴射力を変化させながら、食器２２を効率的に洗浄することができる。
【００２４】
以上より、洗浄水１４の加圧力を変化させて食器２２に洗浄水１４を供給することができ、さらに洗浄水１４を噴射する噴射孔１９ｂの回転軌跡を連続的に変化させることができるので、効率的に食器２２の洗浄を行うことができる。
【００２５】
なお、補助ノズル１８の構成をアームノズル１７の片側だけでなく、両側に設けてより効率的に洗浄を行っても良い。
【００２６】
（実施例２）
全体の構成は実施例１と同様であるので説明を省略する。そして実施例１と同じ機能をする部分は実施例１と同じ符号を付与する。ただし、図５において、補助ノズル１８はポンプが洗浄水を加圧する加圧力により食器かご２１に収納される食器２２の間隔以上に移動するように構成されている。また、洗浄およびすすぎ工程ではポンプは洗浄水を低圧から高圧まで周期的に加圧する。
【００２７】
このように構成された本発明の実施例２によれば、洗浄及びすすぎ工程において、ポンプが洗浄水を加圧する加圧力を周期的に変化させることにより、洗浄水は噴射孔１９ｂから、低圧から高圧までさらに噴射角度を変化させながら噴射されることになる。そして、補助ノズル１８は隣接する食器２２の間隔以上に移動するように構成されているので、食器２２に対して食器２２の内側から外側まで洗浄水の噴射力及び噴射角度を変化させながら洗浄水は供給されることになる。従って、食器２２には弱水流から強水流まで様々な水流の洗浄水を様々な角度から供給することができるので、より効率的に食器２２の洗浄を行うことができる。
【００２８】
（実施例３）
全体の構成は実施例１と同様であるので説明を省略する。そして実施例１と同じ機能をする部分は実施例１と同じ符号を付与する。ただし、図６、図７、図８において、２７は第一の低圧噴射孔、２８は第二の低圧噴射孔で、第一の低圧噴射孔２７はアームノズル１７に、第二の低圧噴射孔２８は補助ノズル１８に備えられている。そして、ポンプ１５から供給される洗浄水１４の圧力が小さい場合は図７に示すように、第一の低圧噴射孔２７と第二の低圧噴射孔２８が同じ位置になり洗浄水１４を噴射することができ、洗浄水１４の圧力が大きい場合は図８に示すように、補助ノズル１８はアームノズル１７から突出して洗浄槽１２内を略水平方向に移動するので、第一の低圧噴射孔２７と第二の低圧噴射孔２８との位置がずれて、第一の低圧噴射孔２７及び第二の低圧噴射孔２８から洗浄水１４を噴射することができなくなる。
【００２９】
このように構成された本発明の実施例３によれば、洗浄及びすすぎ工程において、ポンプ制御手段１６によりポンプ１５が洗浄水１４を加圧する加圧力を小さくして洗浄水１４をアームノズル１７、補助ノズル１８に低圧力で供給する場合は、図７に示すように、弾性体２０が補助ノズル１８をアームノズル１７内に押す力の方が、洗浄水１４が補助ノズル１８をアームノズル１７から突出して洗浄槽１２内に略水平方向に移動させる力よりも大きいため、補助ノズル１８は移動せず、第一の低圧噴射孔２７と第二の低圧噴射孔２８が同じ位置になって洗浄水１４を第一の低圧噴射孔２７及び第二の低圧噴射孔２８から噴射する。そのため、補助ノズル１８に備えられた噴射孔１９ｂはアームノズル１７の中心側に位置し、洗浄水１４はアームノズル１７に備えられた噴射孔１９ａ、補助ノズル１８に備えられた噴射孔１９ｂから噴射されるだけでなく、第二の低圧噴射孔２８を介して第一の低圧噴射孔２７からも噴射されることになる。一方、ポンプ制御手段１６によりポンプ１５が洗浄水１４を加圧する加圧力を大きくして洗浄水１４をアームノズル１７、補助ノズル１８に高圧力で供給する場合は、図８に示すように、洗浄水１４が補助ノズル１８をアームノズル１７から突出して洗浄槽１２内に略水平方向に移動させる力の方が、弾性体２０が補助ノズル１８をアームノズル１７内に押す力よりも大きいため、補助ノズル１８及び補助ノズル１８に備えられた噴射孔１９ｂはアームノズル１７の外側に位置する。さらに、第一の低圧噴射孔２７と第二の低圧噴射孔２８の位置がずれるので第二の低圧噴射孔２８と介して第一の低圧噴射孔２７からは洗浄水１４は噴射されないことになる。
【００３０】
従って、洗浄水１４を低圧で加圧する場合はアームノズル１７に備えられた噴射孔１９ａ、補助ノズル１８に備えられた噴射孔１９ｂから洗浄水１４を噴射するだけでなく、第二の低圧噴射孔２８を介して第一の低圧噴射孔２７からも洗浄水１４を噴射することができ、洗浄水１４を高圧で加圧する場合は第二の低圧噴射孔２８を介して第一の低圧噴射孔２７からは洗浄水１４は噴射されず、アームノズル１７に備えられた噴射孔１９ａ、補助ノズル１８に備えられた噴射孔１９ｂからのみ噴射されることになる。そのため、洗浄水１４を高圧で噴射させる場合は、洗浄水１４を低圧で噴射させる場合よりも噴射孔１９ａと１９ｂから噴射される洗浄水１４の噴射量は増加するが、第二の低圧噴射孔２８を介して第一の低圧噴射孔２７から洗浄水１４は噴射されないので、洗浄水１４を噴射させる噴射孔数を少なくすることができ、洗浄水１４の噴射水量を低圧で噴射させる場合と同等かあるいはそれ以下にすることができる。
【００３１】
以上より、洗浄水１４の使用水量を増加させることなく洗浄水１４の加圧力を変化させて食器２２に洗浄水１４を供給することができ、さらに効率的に食器２２の洗浄を行うことができる。
【００３２】
なお、図１０、図１１に示すように、第一の低圧噴射孔２７を略スリット形状に形成し、アームノズル１７の中央部側から外側に向けて徐々にスリット幅が狭くなるように形成すれば、洗浄及びすすぎ工程において、ポンプ制御手段１６によりポンプ１５が洗浄水１４を加圧する加圧力を連続的に変化させると第二の低圧噴射孔２８を介した第一の低圧噴射孔２７の回転軌跡は図１２に示すように、補助ノズル１８に備えられた噴射孔１９ｂの回転軌跡と同様に、波形状の回転軌跡にすることができるので、洗浄水１４の噴射位置を連続的に変化させることができる。従って、アームノズル１７、補助ノズル１８に備えられた噴射孔１９ｂ、第一の低圧噴射孔２７及び第二の低圧噴射孔２８から噴射される洗浄水１４の噴射力及び噴射位置を変化させながら、食器２２をより効率的に洗浄することができる。
【００３３】
また、図１３、図１４に示すように、洗浄槽１２の略垂直方向にタワーノズル２９、タワー補助ノズル３０を設け、タワーノズル２９に上部に向かうにつれてスリット幅が狭くなるような略スリット形状に形成された第三の低圧噴射孔３１、タワー補助ノズル３０に第四の低圧噴射孔３２を備え、洗浄槽１２の略垂直方向に同様の作用を有するノズル構成としても良い。
【００３４】
（実施例４）
全体の構成は実施例１と同様であるので説明を省略する。そして実施例１と同じ機能をする部分は実施例１と同じ符号を付与する。ただし、図１５、図１６において、洗浄槽１２は奥行き方向、または幅方向が長手方向である略長方形に形成されている。３３は第二の循環経路、３４は第三の循環経路、３５は第二の弾性体で、第三の循環経路３４は、図１６に示すように、ポンプ１５が洗浄水１４を加圧する加圧力に連動して第二の循環経路３３から突出して洗浄槽１２内を長方形の長手方向に略水平方向に移動する。
【００３５】
このように構成された本発明の実施例４によれば、洗浄及びすすぎ工程において、ポンプ制御手段１６によりポンプ１５が洗浄水１４を加圧する加圧力が小さい場合は、図１５に示すように、第二の弾性体３５が第三の循環経路３４を第二の循環経路３３内に押す力の方が洗浄水１４が第三の循環経路３４を第二の循環経路３３から突出して洗浄槽１２内に略水平方向に移動させる力よりも大きいため、第三の循環経路３４、アームノズル１７及び補助ノズル１８は移動しない。一方、ポンプ制御手段１６によりポンプ１５が洗浄水１４を加圧する加圧力が大きい場合は、図１６に示すように、洗浄水１４が第三の循環経路３４を第二の循環経路３３から突出して洗浄槽１２内を長方形の長手方向に略水平方向に移動させる力の方が第二の弾性体３５が第三の循環経路３４を第二の循環経路３３内に押す力よりも大きいため、第三の循環経路３４、アームノズル１７及び補助ノズル１８は洗浄槽１２内を長方形の長手方向に略水平方向に移動する。従って、第三の循環経路３４、アームノズル１７及び補助ノズル１８はポンプ１５が洗浄水１４を加圧する加圧力に連動して洗浄槽１２内を長方形の長手方向に略水平方向に移動することになるので、アームノズル１７に備えられた噴射孔１９ａ、補助ノズル１８に備えられた噴射孔１９ｂは、図１７に示すように、長方形の洗浄槽１２内を均一に洗浄できるような回転軌跡を描くことになる。
【００３６】
従って、ポンプ１５が洗浄水１４を加圧する加圧力が小さい場合は第三の循環経路３４、アームノズル１７及び補助ノズル１８は第二の循環経路３３側に位置し、ポンプ１５が洗浄水１４を加圧する加圧力が大きい場合は第三の循環経路３４、アームノズル１７及び補助ノズル１８は第二の循環経路３３と反対側に位置することになるので、第二の循環経路３３側に汚れ量の少ない食器２２を配置し、第二の循環経路３３と反対側に汚れ量の多い食器２２を配置することにより、汚れ量の少ない食器２２には低圧の洗浄水１４を供給することができ、汚れ量の多い食器２２には高圧の洗浄水１４を供給することができる。そのため、食器２２の汚れ量に応じて低圧から高圧の洗浄水１４を供給し効率的に食器２２を洗浄することができる。
【００３７】
以上より、略正方形や略円形の洗浄槽１２だけでなく、奥行方向や幅方向が長手方向である略長方形形状等の洗浄槽１２にも対応して食器２２を洗浄することができ、さらに、食器２２の汚れ量に応じた低圧から高圧の洗浄水１４を供給することができるので、効率的に食器２２を洗浄することができる。
【００３８】
【発明の効果】
以上のように請求項１に記載の発明によれば、洗浄槽と、食器を収納する食器かごと、前記洗浄槽内の洗浄水を加圧するポンプと、前記ポンプによって加圧した洗浄水を噴射する噴射孔を有した回転するアームノズルと、前記ポンプを制御するポンプ制御手段と、前記アームノズルから突出可能に連通し弾性体により前記アームノズルの内方へ押圧された補助ノズルと、前記洗浄槽とポンプとアームノズル及び前記補助ノズルとを接続する循環経路を備え、前記補助ノズルは、前記ポンプの洗浄水の加圧力が高くなると前記弾性体の押圧力に抗してアームノズルから突出するように構成し、前記ポンプ制御手段によりポンプが洗浄水を加圧する加圧力を変化させながら食器を洗浄するようにしたから、洗浄水の加圧力を変化させて食器に洗浄水を供給することができるとともに、洗浄水を噴射する噴射孔の回転軌跡を連続的に変化させることができるので、効率的に食器の洗浄を行うことができる。
【００３９】
また、請求項２に記載の発明によれば、補助ノズルは、洗浄槽内を移動する移動量を食器かごに収納される隣接した食器間の間隔以上に設定したから、食器に対して様々な水流の洗浄水を様々な角度から供給することができるので、より効率的に食器の洗浄を行うことができる。
【００４０】
また、請求項３に記載の発明によれば、洗浄水の加圧力が低圧時のみに洗浄水を噴射する噴射孔をアームノズルと補助ノズルで構成したから、洗浄水の使用水量を増加させることなく洗浄水の加圧力を変化させて食器に洗浄水を供給することができる。
【００４１】
また、請求項４に記載の発明によれば、循環経路の一部がポンプの洗浄水の加圧力の変化に連動して洗浄槽内を略水平方向に移動するようにしたから、略正方形や略円形の洗浄槽だけでなく、奥行方向や幅方向が長手方向である略長方形形状等の洗浄槽にも対応して食器を洗浄することができ、さらに、食器の汚れ量に応じた低圧から高圧の洗浄水を供給することができるので、効率的に食器を洗浄することができる。
【００４２】
また、請求項５に記載の発明によれば、アームノズルに第一の低圧噴射孔を設けるとともに、補助ノズルに第二の低圧噴射孔を設け、前記第一の低圧噴射孔は、水平方向にスリット幅がアームノズルの外側に向かうにつれて狭くなるようにスリット状に形成され、前記第一の低圧噴射孔及び第二の低圧噴射孔は、前記補助ノズルの移動に連動して噴射位置及び噴射量を変化させるようにしたから、アームノズル、補助ノズルに備えられた第一の低圧噴射孔及び第二の低圧噴射孔から噴射される洗浄水の噴射力及び噴射位置を変化させながら、食器をより効率的に洗浄することができる。
【図面の簡単な説明】
【図１】  本発明の実施例１における食器洗浄機の構成図
【図２】  同食器洗浄機の低圧洗浄時の補助ノズル周辺部の動作説明図
【図３】  同食器洗浄機の高圧洗浄時の補助ノズル周辺部の動作説明図
【図４】  同食器洗浄機の噴射孔の回転軌跡図
【図５】  本発明の実施例２における補助ノズル周辺部の動作説明図
【図６】  本発明の実施例３における食器洗浄機の構成図
【図７】  同食器洗浄機の低圧洗浄時の補助ノズル周辺部の動作説明図
【図８】  同食器洗浄機の高圧洗浄時の補助ノズル周辺部の動作説明図
【図９】  同食器洗浄機の噴射孔の回転軌跡図
【図１０】  同食器洗浄機の第一の低圧噴射孔を略スリット形状に形成した場合の低圧洗浄時の補助ノズル周辺説明図
【図１１】  同食器洗浄機の第一の低圧噴射孔を略スリット形状に形成した場合の高圧洗浄時の補助ノズル周辺説明図
【図１２】  同食器洗浄機の第一の低圧噴射孔を略スリット形状に形成した場合の噴射孔の回転軌跡図
【図１３】  同食器洗浄機の低圧洗浄時のタワーノズル及びタワー補助ノズル周辺部の動作説明図
【図１４】  同食器洗浄機の高圧洗浄時のタワーノズル及びタワー補助ノズル周辺部の動作説明図
【図１５】  本発明の実施例４における食器洗浄機の低圧洗浄での構成図
【図１６】  同食器洗浄機の高圧洗浄での構成図
【図１７】  同食器洗浄機のノズル及び噴射孔の回転軌跡図
【図１８】  従来の食器洗浄機の構成図
【図１９】  従来の食器洗浄機の噴射孔の回転軌跡図
【符号の説明】
１２  洗浄槽
１４  洗浄水
１５  ポンプ
１６  ポンプ制御手段
１７  アームノズル
１８  補助ノズル
１９ａ  アームノズルの噴射孔
１９ｂ  補助ノズルの噴射孔
２０  弾性体
２７  第一の低圧噴射孔
２８  第二の低圧噴射孔
２９  タワーノズル
３０  タワー補助ノズル
３１  第三の低圧噴射孔
３２  第四の低圧噴射孔
３３  第二の循環経路
３４  第三の循環経路
３５  第二の弾性体
【図１】
0003651240.tif 000002
【図２】
0003651240.tif 000003
【図３】
0003651240.tif 000004
【図４】
0003651240.tif 000005
【図５】
0003651240.tif 000006
【図６】
0003651240.tif 000007
【図７】
0003651240.tif 000008
【図８】
0003651240.tif 000009
【図９】
0003651240.tif 000010
【図１０】
0003651240.tif 000011
【図１１】
0003651240.tif 000012
【図１２】
0003651240.tif 000013
【図１３】
0003651240.tif 000014
【図１４】
0003651240.tif 000015
【図１５】
0003651240.tif 000016
【図１６】
0003651240.tif 000017
【図１７】
0003651240.tif 000018
【図１８】
0003651240.tif 000019
【図１９】
0003651240.tif 000020